(57)【要約】【課題】ユーザが処置を行うのに必要な手順に関する充分な情報量を表示するとともに、処理中の姿勢を無理に変えることなく必要な手順を参照可能にする副表示部を備えた画像形成装置を提供する。【解決手段】操作の手順を表示する主表示部７と、構成部分の開閉あるいは装脱を検知するセンサとを備えた画像形成装置１において、使用者による処置が必要な場合、その部位を検知して前記主表示部７を介して使用者に通知するとともに、その処置に関する処置手順を、その処置を行う姿勢で参照できる箇所にそれぞれ配設された１つまたは複数の副表示部２５〜２８に表示する。【選択図】      図１
2004252318.tif 000002
【特許請求の範囲】
【請求項１】
操作の手順を表示する主表示部と、構成部分の開閉あるいは装脱を検知するセンサとを備えた画像形成装置において、
使用者による処置が必要な場合、その部位を検知して前記主表示部を介して使用者に通知するとともに、その処置に関する処置手順を、その処置を行う姿勢で参照できる箇所にそれぞれ配設された１つまたは複数の副表示部に表示することを特徴とする画像形成装置。
【請求項２】
前記処置を行う過程で、前処理として前記構成部分の開閉あるいは装脱が必要な場合、
前記前処理にともなう構成部分の開閉あるいは装脱をセンサで検知することにより、該前処理を行う部位から参照できる箇所に配設された副表示部に、該前処理に関する手順を表示することを特徴とする請求項１に記載の画像形成装置。
【請求項３】
前記前処理の最初の手順は前記主表示部に表示されることを特徴とする請求項２に記載の画像形成装置。
【請求項４】
前記主表示部は前記処置が必要な部位を表示するとともに、前記副表示部に表示される表示内容も併せて表示することを特徴とする請求項１乃至請求項３のいずれかに記載の画像形成装置。
【発明の詳細な説明】
【０００１】
【発明の属する技術分野】
本発明は、画像形成装置に関し、特別な処置に係わる表示を、装置の内部に設けられた副表示部で行うことが可能な画像形成装置に関する。
【０００２】
【従来の技術】
従来、複写機やプリンタ、或いはファクシミリなどの画像形成装置では、用紙の紙詰まりやトナーなどの消耗材の交換、ユーザが行う清掃やメンテナンス、その他の状況で、ユーザの注意を喚起する場合やユーザによる処置が望まれる場合、関連する処置手順を印刷物に記載して説明書という形で提供している。同時に、これらの概略手順を印刷したシートやラベルを装置内部の必要箇所に貼付することにより、ユーザが装置内部を処理中に簡単に参照でき、簡単な処理であれば説明書を参照しなくても処理が行えるように工夫されている。
【０００３】
また、画像形成装置の操作部に設けられたＬＥＤ表示部やＬＣＤ表示部にも、装置内部に係わる処置の手順を表示することも行われている。特に、多量の情報量が表示可能なＬＣＤ表示装置の発達により、手順がより詳細に表示できるようになっている。
【０００４】
上記のように、説明書を参照すればより詳細にわたる手順が説明されているが、ユーザが装置内部にかかわる処理の途中に、わざわざ説明書を参照する可能性は低く、また、説明書を紛失する頻度も高い。同様に、操作部上のＬＣＤ表示部にも詳細な手順を表示することも行われているが、装置内部に係わる処理は屈む姿勢が多く、通常、装置上部にある表示部を参照するためには立ち上がることが要求される場合が多い。そのため、操作部上の表示部に表示される処理手順を参照しながら、装置内部に係わる処理を行うことは困難をともなうものであった。
【０００５】
また、前記したシートやラベルを装置内部の必要箇所に貼付する方法は、処理中の姿勢のまま手順を参照できる長所はあるものの、装置内部であるために、シートやラベルをユーザが見やすい箇所に貼付できるスペースが常に確保されるとは限らないという問題もある。
【０００６】
このような問題を解決するため、特許文献１では、ユーザが屈み込んだり覗いたりしなくても、上記のようなシート（操作説明シート）を容易に見ることができるように、画像形成装置の筐体の前扉の裏側に、シートを所定の角度に支持する支持プレート設けることを開示している。
【０００７】
【特許文献１】
特開平１１−２４５３２号公報
【０００８】
【発明が解決しようとする課題】
しかし、特許文献１による方法では、シートを回動可能に支持する支持具やプレートが必要になるため、それらの機構部品を取り付けスペースが必要で、例えば前扉の裏側のように場所も限定されてくる。また、手順をシートに印刷するため、情報量がシートのサイズと文字や図の大きさにより制限されて、処理を充分に行うための情報がユーザに提供されないという問題もある。
【０００９】
本発明は、このような状況に鑑みなされたものであり、ユーザが処置を行うのに必要な手順に関する充分な情報量を表示するとともに、処理中の姿勢を無理に変えることなく必要な手順を参照可能にする副表示部を備えた画像形成装置を提供することを目的とするものである。
【００１０】
【課題を解決するための手段】
上記目的を達成するために、本発明では、操作の手順を表示する主表示部と、構成部分の開閉あるいは装脱を検知するセンサとを備えた画像形成装置において、使用者による処置が必要な場合、その部位を検知して前記主表示部を介して使用者に通知するとともに、その処置に関する処置手順を、その処置を行う姿勢で参照できる箇所にそれぞれ配設された１つまたは複数の副表示部に表示する。
【００１１】
処置を行う過程で、前処理として構成部分の開閉あるいは装脱が必要な場合、該前処理にともなう構成部分の開閉あるいは装脱をセンサで検知することにより、前処理を行う部位から参照できる箇所に配設された副表示部に、該前処理に関する手順を表示する。
【００１２】
また、前記の前処理の最初の手順は主表示部に表示される。
【００１３】
さらに、主表示部は前記処置が必要な部位を表示するとともに、副表示部に表示される表示内容も併せて表示する。
【００１４】
【発明の実施の形態】
以下、本発明の詳細を添付図に基づいて説明する。図１は、本実施形態を説明するための画像形成装置（複写機）の例を示し、ユーザによる操作や処理に係わる主要部を示す斜視図である。
【００１５】
本実施形態の一例として、画像形成装置１は、画像形成装置本体２と、ソート、穴あけ、或いはステイプリングなどの後処理機能を有するフィニッシャー３で概略構成されている。フィニッシャー３は、画像形成装置本体２に機械的かつ電気的に接続されている。画像形成装置本体２は、複写するための原稿がセットされ原稿の画像を読み込む原稿読み取り部４と、操作や処理に関する表示を行う主表示部７と複数のキーを介して入力を行う入力部８とからなる操作部６と、被記録媒体である複数の用紙が収納され必要に応じて装置前部に引き出しが可能な第１給紙ユニット１４と、前扉１６と１７の内部に収納された大量の用紙が収容可能な第２給紙ユニット１８と、各給紙ユニットからの用紙を搬送する給紙搬送ユニット１５などから構成されている。
【００１６】
また、図示しているように、画像形成装置本体２の本体前扉９を開くと、その内部には、前記した操作部６の機構・電気部品類などを覆う内カバー６ａと、用紙が前記給紙搬送ユニット１５を通過後、引き続き本体内での用紙の搬送を行う搬送部１０と、図示しない感光体や帯電部や現像部を有して画像を形成する画像形成部１１と、該画像形成部１１により形成され、用紙に転写された画像を加熱・加圧定着する定着部１２と、前記画像形成部１１の図示しない現像部に供給されるトナーが充填されたトナー供給容器１３などが配されている。一方、フィニッシャー３は、その前扉２１を開くと、その内部には、前記した様々な後処理を行う後処理ユニット２０を備えている。
【００１７】
さらに、画像形成装置本体２の前扉９の裏側には、ＬＣＤ表示装置などにより構成される第１副表示部２５が具設されている。また、内カバー６ａ上にも、ＬＣＤ表示装置などにより構成される第２副表示部２６が具設されている。前記した第２給紙ユニット１８の前扉１７を開くと、その内側には第３副表示部２７が具設されている。一方、フィニッシャー３の前扉２１を開くと、その内側には第４副表示部２８が具設されている。これらの第１〜第４副表示部２５〜２８は、図示しない配線を介して後述する画像形成装置本体２の図示しない主制御部に電気的に接続されている。
【００１８】
次に、図１と図２に基づき、制御に係わる構成を説明する。図２は、本実施形態の電気的な制御に係わる主要回路のブロック図である。なお、同図において、本実施形態に直接係わらない部分は省略している。画像形成装置１全体を制御する主制御部３０は、ＣＰＵ３１と、原稿読み取り部４から読み込んだ画像データを一時格納したり、或いは作業記憶領域として使用するメモリ３２と、原稿読み取り部４で読み込んだ画像を処理する画像処理部３３とを有している。
【００１９】
また、操作部６の操作制御部４０は、操作制御部４０の制御を行い、図示しない通信部を介してＣＰＵ３１と通信を行う操作部ＣＰＵ４１と、操作のための入力がキーなどを介して行われる入力部８と、前記した主表示部７とから構成される。また入力操作の一環としてタッチパネル４２を備えることも可能である。
【００２０】
画像形成装置１の用紙搬送や帯電、動力系などに係わるシーケンスを制御するエンジン制御部５０は、エンジン制御部５０の制御を行い、図示しない通信部を介してＣＰＵ３１と通信を行うエンジンＣＰＵ５１と、様々なセンサやスイッチからの信号が入力する信号入力回路５２とから構成される。
【００２１】
更に、第１〜第４副表示部２５〜２８が図示しない通信部を介して主制御部３０に電気的に接続されている。エンジン制御部５０の信号入力回路５２は、画像形成装置本体２の本体前扉９の開閉を検知する本体前扉スイッチ６０と、第１給紙ユニット１４の引き出しを検知するする第１給紙ユニット開閉スイッチ６１と、第２給紙ユニット１８の前扉１７の開閉を検知する第２給紙ユニット前扉スイッチ６２と、搬送部１０と画像形成部１１と定着部１２とトナー供給容器１３の引き出しや取り外しをそれぞれ検知する搬送部開閉スイッチ６４と画像形成部開閉スイッチ６５と定着部装脱スイッチ６６とトナー供給容器着脱スイッチ６７と、フィニッシャー３の前扉２１の開閉を検知するフィニッシャー前扉スイッチ６３と、フィニッシャー３の画像形成装置本体２への着脱を検知するフィニッシャー着脱スイッチ６８とから、それぞれの検知信号が入力される。
【００２２】
次に、図１と図２に基づいて説明した画像形成装置１の各構成要素とそれらの開閉や着脱に伴う検知と、紙詰まりなどの処置に係わる表示との連動について図１〜図４を参照して説明する。図３は、紙詰まり発生可能箇所を示している。
【００２３】
図３で、紙詰まり箇所７０は第１給紙ユニット１４、また紙詰まり箇所７１は第２給紙ユニット１８における紙詰まり箇所である。紙詰まり箇所７２は搬送部１０、紙詰まり箇所７３は定着部１２、紙詰まり箇所７４はフィニッシャー３の後処理ユニット２０での紙詰まり箇所を示す。このような紙詰まりは、該当する箇所に配設されたセンサやスイッチ、或いは用紙搬送のタイミングにより検知されるが、その説明は省略する。
【００２４】
また、上記した紙詰まり箇所７０〜７４で紙詰まりが発生すると、例えば、図３に示すような図が主表示部７に表示され、注意を喚起する表示方法（例えば点滅）で紙詰まり箇所が表示される。その場合、該当する箇所を開いたり、引き出したり、あるいは解除した後、詰まった用紙を除去することになる。
【００２５】
例えば、紙詰まり箇所７０で発生した場合は、第１給紙ユニット１４を手前に引き出して、ユニットの内部から用紙を除去する。紙詰まり箇所７１で発生した場合は、前扉１７を開いて第２給紙ユニット１８の内部から用紙を除去する。紙詰まり箇所７２で紙詰まりが発生した場合は、レバーで搬送部１０を解除して用紙搬送部から用紙を除去する。紙詰まり箇所７３で紙詰まりが発生した場合は、フィニッシャー３を画像形成装置本体２から解除してから、図示しない定着ローラのノブを手で回転させながら用紙を画像形成装置本体２の排紙方向に送り出して除去する。紙詰まり箇所７４で紙詰まりが発生した場合は、フィニッシャー３を画像形成装置本体２から解除してから、フィニッシャー３の前扉２１を開き、後処理ユニット２０を解除して用紙を除去する。
【００２６】
図４は、紙詰まりとその処理に係わる検知と表示のフローチャートである。Ｓ１（ステップ１）で紙詰まりが検知されると、Ｓ２で、その紙詰まり箇所に基づきフローが分岐する。例えば、紙詰まり箇所７０（第１給紙ユニット１４）で紙詰まりの場合、Ｓ１０で、図３のような図を主表示部７に表示して、第１給紙ユニット１４を紙詰まり箇所としてユーザに通知すると同時に、この紙詰まりの箇所に基づいた最初の処理手順を、ユーザに指示するため表示する。この場合、第１給紙ユニット１４を引き出す旨の指示が表示される。
【００２７】
Ｓ１１で、第１給紙ユニット１４が引き出されていないと、Ｓ１０に戻り、第１給紙ユニット１４が引き出されるまでループを繰り返す。ユーザが第１給紙ユニット１４を引き出すと、その状態が第１給紙ユニット開閉スイッチ６１で検知されて、主制御部３０はその次のステップＳ１２を実行する。既に、第１給紙ユニット１４が引き出されていることが確認されたので、紙詰まり処理の詳細な手順が主表示部７に表示されて、ユーザはその表示を見ながら作業を行う。この場合、紙詰まり処理の詳細な手順が主表示部７に表示されるのは、本実施例では第１給紙ユニット１４に係わる処置時に、最も見やすい位置にあるからである。次に、Ｓ１３で第１給紙ユニット１４の閉成が確認されるまでＳ１２へのループを繰り返し、閉成が確認された場合、第１給紙ユニット１４が画像形成装置本体２と電気的に接続されるので、Ｓ１４で、最終的に紙が除去されたか否かが図示しないセンサで確認され、除去されていない場合はＳ１０に戻る。紙の除去が確認されると、通常の動作に戻る。
【００２８】
本実施形態の画像形成装置１では、第１給紙ユニット１４での紙詰まりの処理を行う場合、ユーザは屈まなくても処理できるので、Ｓ１２における詳細な手順の表示を主表示部７で行っている。しかし、屈んで処理を行う位置に第１給紙ユニット１４が有る場合、本体前扉９の開成が検知されないと第１給紙ユニット１４を引き出せない構造にして、Ｓ１０で本体前扉９を開け、第１給紙ユニット１４を引き出すよう表示する。さらに、Ｓ１１で給紙ユニット１４の引き出しが確認されたということは本体前扉９が既に開いているということなので、Ｓ１２での表示を、本体前扉９の内側に備わっている第１副表示部２５上、または第２副表示部２６上で行えば、屈んだ姿勢のまま処理手順の参照と処理を行うことができる。
【００２９】
次に、Ｓ１で紙詰まり箇所７１（第２給紙ユニット１８）での紙詰まりが検知された場合について説明する。Ｓ２０で、図３のような図を主表示部７に表示して、第２給紙ユニット１８を紙詰まり箇所としてユーザに通知すると同時に、この紙詰まりの箇所に基づいた最初の処理手順をユーザに指示するため表示する。この場合、第２給紙ユニット１８の前扉１７を開ける旨の指示が表示される。
【００３０】
Ｓ２１で、前扉１７が開いていないと、Ｓ２０に戻り、前扉１７が開かれるまでループを繰り返す。ユーザが前扉１７を開くと、その状態が第２給紙ユニット前扉スイッチ６２で検知されて、主制御部３０はその次のステップＳ２２を実行する。Ｓ２２では、既に、前扉１７が開いていることが確認されているので、第２給紙ユニット１８における紙詰まり処置の詳細な手順が、その処置を行うのに最も見やすい場所、すなわち前扉１７の内側に具設された第３副表示部２７に表示され、ユーザはその表示を見ながら作業を行う。次に、Ｓ２３で紙詰まりが解消されたかどうか第２給紙ユニット１８内の図示しないセンサでチェックする。紙が除去されていない場合は、Ｓ２２からのループを繰り返す。除去されている場合は、Ｓ２４で前扉１７の閉成をチェックし、閉成が確認されるまでＳ２４をループする。閉成が確認された場合、通常の動作に戻る。
【００３１】
次に、Ｓ１で紙詰まり箇所７２（搬送部１０）での紙詰まりが検知された場合について説明する。Ｓ３０で、図３のような図を主表示部７に表示して、搬送部１０を紙詰まり箇所としてユーザに通知すると同時に、この紙詰まりの箇所に基づいた最初の処理手順をユーザに指示するため表示する。この場合、本体前扉９を開ける旨の指示が表示される。
【００３２】
Ｓ３１で、本体前扉９が開いていないと、Ｓ２０に戻り、本体前扉９が開かれるまでループを繰り返す。ユーザが本体前扉９を開くと、その状態が本体前扉スイッチ６０で検知されて、主制御部３０は、その次のステップＳ３２を実行する。Ｓ３２では、既に、本体前扉９が開いていることが確認されたので、搬送部１０における紙詰まり処理の詳細な手順が、その処理を行うのに最も見やすい場所、すなわち第２副表示部２６または主表示部７に表示されて、ユーザはその表示を見ながら作業を行う。次に、Ｓ３３で紙詰まりが解消されたかどうか搬送部１０内の図示しないセンサでチェックする。紙が除去されていない場合は、Ｓ３２からのループを繰り返す。除去されている場合は、Ｓ３４で本体前扉９の閉成をチェックし、閉成が確認されるまでＳ３４をループする。閉成が確認された場合、通常の動作に戻る。
【００３３】
続いて、Ｓ１で紙詰まり箇所７３（定着部１２）での紙詰まりが検知された場合について説明する。Ｓ４０で、図３のような図を主表示部７に表示して、定着部１２を紙詰まり箇所としてユーザに通知すると同時に、この紙詰まりの箇所に基づいた最初の処理手順をユーザに指示するため表示する。この場合、本体前扉９を開き、フィニッシャー３を画像形成装置本体２から解除する旨の指示が表示される。
【００３４】
Ｓ４１で、本体前扉９の開成とフィニッシャー３の解除の両方がチェックされる。実行されていない場合Ｓ４０に戻ってループを繰り返す。ユーザが本体前扉９を開き、フィニッシャー３の解除を行うと、その状態が本体前扉スイッチ６０とフィニッシャー着脱スイッチ６８でそれぞれ検知されて、主制御部３０は、その次のステップＳ４２を実行する。Ｓ４２では、定着部１２における紙詰まり処理の詳細な手順が、その処理を行うのに最も見やすい場所、すなわち主表示部７と第１副表示部２５の両方或いはその一方に表示されて、ユーザはそれらの表示の見やすいほうまたは表示されているほうを見ながら作業を行う。次に、Ｓ４３で紙詰まりが解消されたかどうかを定着部１２内の図示しないセンサでチェックする。紙が除去されていない場合は、Ｓ４２からのループを繰り返す。除去されている場合は、Ｓ４４で、フィニッシャー３の画像形成装置本体２との結合と本体前扉９の閉成を、フィニッシャー着脱スイッチ６８と本体前扉スイッチ６０でそれぞれをチェックし、確認されるまでＳ４４をループする。確認された場合、通常の動作に戻る。
【００３５】
さらに、Ｓ１で紙詰まり箇所７４（フィニッシャー３の後処理ユニット２０）での紙詰まりが検知された場合について説明する。Ｓ５０で、図３のような図を主表示部７に表示して、フィニッシャー３を紙詰まり箇所としてユーザに通知すると同時に、この紙詰まりの箇所に基づいた最初の処理手順をユーザに指示するため表示する。この場合、本体前扉９を開き、フィニッシャー３を画像形成装置本体２から解除し、フィニッシャー３の前扉２１を開く旨の指示が表示される。
【００３６】
Ｓ５１で、本体前扉９の開成とフィニッシャー３の解除と前扉２１の開成がそれぞれチェックされる。実行されていない場合、Ｓ５０に戻ってループを繰り返す。ユーザが本体前扉９を開き、フィニッシャー３の解除を行い、前扉２１を開くと、その状態が本体前扉スイッチ６０とフィニッシャー着脱スイッチ６８とフィニッシャー前扉スイッチ６３でそれぞれ検知されて、主制御部３０は、その次のステップＳ５２を実行する。Ｓ５２では、フィニッシャー３における紙詰まり処理の詳細な手順が、その処理を行うのに最も見やすい場所、すなわち第３副表示部２８に表示され、ユーザはその表示を見ながら作業を行う。次に、Ｓ５３で紙詰まりが解消されたかどうかをフィニッシャー３内の図示しないセンサでチェックする。紙が除去されていない場合は、Ｓ５２からのループを繰り返す。除去されている場合は、Ｓ５４で前扉２１の閉成と、フィニッシャー３の画像形成装置本体２との結合と、本体前扉９の閉成とをそれぞれ前記したスイッチでチェックし、確認されるまでＳ５４をループする。確認された場合、通常の動作に戻る。
【００３７】
この最後の例では、最終的な処置個所、すなわちフィニッシャー３の後処理ユニット２０に到達するまで複数の前処理が順次実行される。そのため、順次その前処理を指示する表示部を切替えて、段階的に最終の処置を行わせることも可能である。例えば、紙詰まり個所の表示と同時に、最初の手順、つまり本体前扉９を開く指示を主表示部７に表示する。本体前扉９の開成が本体前扉スイッチで検知されると、次の指示をその時に最も見やすい場所、例えば、第２副表示部２６で行う。第２副表示部２６は、フィニッシャー３を画像形成装置本体２から解除する手順を表示する。その後、フィニッシャー３が解除されたことをフィニッシャー着脱スイッチが検知すると、次にフィニッシャー３の前扉２１を開く手順を第２副表示部２６に表示する。前扉２１の開成がフィニッシャー前扉スイッチ６３で検知されると、表示が第４副表示部２８に切り替わり、最終的な処置の詳細な手順が表示される。
【００３８】
処置が終了し、紙詰まりの検知が解消すると、元に戻す処理手順が、上記の逆の順番で行われるようにしてもよい。このようにすれば、ユーザは次の前処理或いは処置について段階的に指示されるので、それぞれの前処理や処置が確実に行われるという利点がある。また、それぞれの前処理や処置の手順が、その時に最も見やすい個所にある表示部に表示されるので、姿勢を変えることなく前処理や処置を実行できる。
【００３９】
以上の例では、紙詰まりが発生した場合を例に挙げて、その箇所をセンサで検知することにより、ユーザが前処理や処置を行う過程で最も見やすい表示部に手順を表示することを説明した。しかし、ユーザによる処置や前処理が必要な例は、紙詰まりに限らず、トナーや用紙の補給、ユーザによる清掃やメンテナンスなどがある。このような場合も、それらの処置が画像形成装置１によって必要と判断された場合、前述した例と同様に、ユーザによる処置過程で各種のセンサを介して逐次ユーザの処置過程を検知し、その都度、ユーザが最も見やすい表示部に処理手順を自動的に切り替えて表示を行うことが可能である。この場合、副表示部２５〜２８に表示される内容を、同時に主表示部７に表示してもよい。そうすれば、別の理由で立ち上がった姿勢のまま、そのときの手順を主表示部７上でも確認できる。
【００４０】
また、画像形成装置１によって必要と判断される以外の処理の場合、例えば、通常主表示部７に表示される内容を、指定する副表示部２５〜２７のいずれか１つまたは複数に表示するように操作部６で操作できるようにしてもよいし、副表示部２５〜２７にキーを付帯させたり、タッチパネルで構成することにより、副表示部２５〜２７から表示内容を選択して呼び出したりすることもできる。
【００４１】
さらに、ユーザに限らず、保守サービスの場合でも、その内容と手順を主制御部３０に記憶させておくことにより、サービスマンに対して、保守の手順と保守の箇所に合わせて、各種のセンサの検知結果に従い、主表示部７と副表示部２５〜２７のいずれかを切り替えながら、最も見やすい場所に保守サービスに係る手順を表示することも可能になる。
【００４２】
【発明の効果】
本発明によると、画像形成装置内に設けられた主表示部と１つ以上の副表示部と、ユーザによりアクセスされる扉やユニットの開閉や着脱を検知するセンサとを利用することにより、ユーザの処置が必要な場合、主表示部で処置の概略や最初の手順を表示し、ユーザの次の動作を前記のセンサで検知して、ユーザが次の処置を行う姿勢で楽に参照できる副表示部に手順の詳細を表示する。このようにすると、説明書や説明シートを手元に取り寄せて処置の手順を参照する必要がなく、また、主表示部を参照するため立ち上がったり、姿勢を変えたりする必要もなく、楽な姿勢で処置を行うことが可能になる。
【００４３】
さらに、処置する箇所にユーザが到達するまで、扉を開けたり、別のユニットを取り外したりするなどの複数段階の前処理が必要な場合、最初に主表示部に処置の概要と次の手順を表示し、次の前処理の実行をセンサで検知して、その前処理の手順を楽な姿勢で参照できる副表示部の１つに表示し、センサでその前処理の終了を検知すると、更に次の手順を現在参照中の副表示部に表示する。このような繰り返しを行い、ユーザが主表示部や副表示部を参照しなが段階的に前処理を行い、最終処置箇所に到達して、楽な姿勢で主表示部あるいは副表示部上の処置手順を参照しながら、処置を手順どおり正確に行うことが可能になる。
【図面の簡単な説明】
【図１】本実施形態を説明するための画像形成装置の例を示し、ユーザによる操作や処理に係わる主要部を示す斜視図である。
【図２】本実施形態の電気的な制御に係わる主要回路のブロック図である。
【図３】紙詰まり発生可能箇所を示す図である。
【図４】紙詰まりとその処理に係わる検知と表示のフローチャートである。
【符号の説明】
１    画像形成装置
２    画像形成装置本体
３    フィニッシャー
４    原稿読み取り部
６    操作部
６ａ  内カバー
７    主表示部
８    入力部
９    本体前扉
１０  搬送部
１１  画像形成部
１２  定着部
１３  トナー供給容器
１４  第１給紙ユニット
１５  給紙搬送ユニット
１６、１７、２１  前扉
１８  第２給紙ユニット
２０  後処理ユニット
２５、２６、２７、２８  副表示部
３０  主制御部
３２  メモリ
３３  画像処理部
４０  操作制御部
４１  操作部ＣＰＵ
４２  タッチパネル
５０  エンジン制御部
５１  エンジンＣＰＵ
５２  信号入力回路
６０  本体前扉スイッチ
６１  第１給紙ユニット開閉スイッチ
６２  第２給紙ユニット前扉スイッチ
６３  フィニッシャー前扉スイッチ
６４  搬送部開閉スイッチ
６５  画像形成部開閉スイッチ
６６  定着部装脱スイッチ
６７  トナー供給容器着脱スイッチ
６８  フィニッシャー着脱スイッチ
７０、７１、７２、７３、７４  紙詰まり箇所
【図１】
2004252318.tif 000003
【図２】
2004252318.tif 000004
【図３】
2004252318.tif 000005
【図４】
2004252318.tif 000006